(57)【特許請求の範囲】
【請求項１】
底板部と、該底板部のうちの前方側に設けられ、足の甲近傍を保持する甲保持部と、該底板部うちの後方側に設けられ、足の踵近傍を保持する踵保持部とを有するスリッパであって、
前記踵保持部は、外力が作用していない自然状態で使用形態に形状維持されるように一体に形成された板状弾性体を備え、該板状弾性体は、前記底板部の両側から後ろ上方に延在する一対の側帯部と、両該側帯部を上方にて接続して連結する踵当て部とからなり、
前記踵保持部は、両前記側帯部の外側部分に一対の面ファスナーを有していることを特徴とするスリッパ。
【請求項２】
前記踵当て部は、上下方向において凸状に湾曲する凸曲面を前面に有している請求項１に記載のスリッパ。
【請求項３】
前記板状弾性体は、軟質プラスチックよりなる請求項１または２に記載のスリッパ。
【請求項４】
底板部と、該底板部のうちの前方側に設けられ、足の甲近傍を保持する甲保持部と、該底板部うちの後方側に設けられ、足の踵近傍を保持する踵保持部とを有するスリッパであって、
前記踵保持部は、外力が作用していない自然状態で使用形態に形状維持されるように一体に形成された板状弾性体を備え、該板状弾性体は、前記底板部の両側から後ろ上方に延在する一対の側帯部と、両該側帯部を上方のみで接続して連結する踵当て部とからなり、
前記底板部の上面が内側から外側に向けて上昇する傾斜面であり、
前記底板部の下面が前記底板部の上面よりも外側に延びていることを特徴とするスリッパ。
【発明の詳細な説明】
【技術分野】
【０００１】
本発明はスリッパに関し、特に、病院内で入院患者が使用するのに適したスリッパに関する。
【背景技術】
【０００２】
病院内で入院患者が使用する履物として、スリッパが多く使われている。スリッパは履いたり脱いだりするのが容易であるという利点がある。しかし、スリッパにはかかとを保持する機能がないため、歩行中等に脱げやすいという問題点があった。
【０００３】
病院内で靴を使用すれば、靴は踵を保持する機能があるため、歩行中に脱げにくく安全面でも有利となる。しかし、靴の場合、履いたり脱いだりするのに患者は手を靴の位置まで持ってこなければならない。このため、靴を履いたり脱いだりする際に、患者にかがみ込む姿勢が要求され、この姿勢が患者にとって負担となる場合もある。したがって、病院内では靴は余り使用されてこなかった。
【０００４】
他方、サンダル本体と、このサンダル本体に両端が結合されて踵を保持しうるストラップベルトとを有するサンダルも知られている（例えば、特許文献１参照）。このようなサンダルであっても、着脱時に手をストラップベルトの位置まで持ってこなければならないのは同じである。
【特許文献１】特開２００６−１４９６９１号公報
【発明の開示】
【発明が解決しようとする課題】
【０００５】
本発明は、手を使わずに容易に履くことができ、しかも履いている状態で踵を保持する機能を有して歩行中等に脱げにくいという安全なスリッパを提供することを目的とする。
【課題を解決するための手段】
【０００６】
上記の目的を達成するため、本発明では、底板部と、該底板部のうちの前方側に設けられ、足の甲近傍を保持する甲保持部と、該底板部うちの後方側に設けられ、足の踵近傍を保持する踵保持部とを有するスリッパであって、前記踵保持部は、外力が作用していない自然状態で使用形態に形状維持されるように一体に形成された板状弾性体を備え、該板状弾性体は、前記底板部の両側から後ろ上方に延在する一対の側帯部と、両該側帯部を上方にて接続して連結する踵当て部とからなることを特徴とするスリッパが提供される。
【０００７】
ここに、前記「甲保持部」は、足の甲近傍、すなわち足の甲部分及び／又は爪先部分を保持するものであり、前記「踵保持部」は、足の踵近傍、すなわち足の踵部分及び／又はアキレス腱部分を保持するものである。
【０００８】
また、前記「使用形態」とは、両前記側帯部が前記底板部の両側から後ろ上方に延在するとともに、両該側帯部が上方にて前記踵当て部により接続されて連結された形態を意味する。
【０００９】
上記のように構成したスリッパを人が履く際には、甲保持部と底板部との間に足の甲近傍を差し込み、踵を底板部に向けて落とす。すると、使用形態に形状維持された踵保持部における踵当て部の部分に、踵の後端付近が当接し、踵保持部が弾性変形する。このとき、左右の側帯部は底板部から後ろ上方に延在しているから、踵の下降に伴って、側帯部等が弾性変形しつつ踵当て部が後ろ下方に移動する。その結果、踵は、踵当て部に邪魔されることなく踵当て部をすり抜け、底板部に到着する。踵からの押圧力のなくなった踵保持部はその弾性復元力により元の姿勢に戻る。その結果、踵保持部における踵当て部の部分が足の踵近傍（踵からアキレス腱や足首にかけての部分）に当接し、踵保持部が踵近傍を保持する。このため、歩行中等にスリッパが脱げてしまう不都合を回避することができる。
【００１０】
本発明のスリッパにおいて、前記踵当て部は、上下方向において凸状に湾曲する凸曲面を前面に有していることが好ましい。
【００１１】
このように踵当て部の前面が凸曲面とされたスリッパを人が履く際、踵が踵当て部の凸曲面に当接する。このとき、踵から踵当て部への押圧力は、凸曲面を介して、踵当て部を後ろ下方に移動させる方向に働く。このため、踵当て部は、踵の下降に伴って、容易かつ速やかに後ろ下方に移動する。したがって、スリッパの履き易さが向上する。また、スリッパを履いた状態においては、踵当て部の凸曲面が踵近傍に当接するので、角部や平坦面が踵近傍に当接することと比べて、履き心地や踵保持力が向上する。
【００１２】
本発明のスリッパにおいて、前記踵保持部は、両前記側帯部の外側部分に面ファスナーを有していることが好ましい。
【００１３】
このように両側帯部の外側部分に面ファスナーを有するスリッパを人が脱ぐ際、まず、右足に履いたスリッパの左の側帯部側に設けられた面ファスナーと、左足に履いたスリッパの右の側帯部側に設けられた面ファスナーとを密着させて係合状態とする。その係合状態で、右足又は左足の踵をスリッパの踵保持部から抜くように上昇させれば、手を使うことなく容易に片方のスリッパを脱ぐことができる。
【００１４】
本発明のスリッパにおいて、前記板状弾性体は、軟質プラスチックよりなることが好ましい。この軟質プラスチックの好ましい例として、例えば、軟質ポリエチレンを挙げることができる。
【００１５】
このように踵保持部を構成する板状弾性体が軟質プラスチックにより一体成形されたスリッパによれば、踵保持部の耐久強度を維持しつつ、踵保持部が繰り返し荷重を受けて頻繁に変形することによって形崩れすることを抑えることができる。このため、スリッパの耐久性が向上し、長期に渡って良好な踵保持機能を維持し続けるスリッパの提供が可能となる。
【発明の効果】
【００１６】
以上のとおり、本発明のスリッパによれば、手を使わずに容易に履くことができ、しかも履いている状態で踵を保持する機能を有するので歩行中等に脱げにくく、安全面でも有利となる。特に、両側帯部に面ファスナーを設けた場合には、手を使わずにスリッパを容易に脱ぐことも可能となる。
【００１７】
よって、本発明のスリッパは、特に、病院内で入院患者が使用するのに適したものである、スリッパの着脱時における患者の負担を軽減し、かつ、スリッパを履いた患者の安全性を高めるものとなる。
【発明を実施するための最良の形態】
【００１８】
以下、図面を参照しつつ本発明の実施形態について具体的に説明する。
【００１９】
（実施形態１）
本実施形態のスリッパは左右一対をなしている。左右のスリッパは、対称形状をなすこと以外、基本的には同一の構成を有している。このため、左右一対のスリッパのうち左のスリッパのみについて、以下に説明し、右のスリッパについての説明を省略する。
【００２０】
本実施形態のスリッパは、底板部１０と、底板部１０のうちの前方側に設けられ、足の甲近傍を保持する甲保持部２０と、底板部１０のうちの後方側に設けられ、足の踵近傍を保持する踵保持部３０とを有している。
【００２１】
本実施形態のスリッパは、成形、打ち抜きや切断等により所定形状に形成した各構成部材を、縫製や接着剤等の手段により一体的に結合して、製造することができる。
【００２２】
ここに、図１は、スリッパに外力が作用していない自然状態におけるスリッパの斜視図であり、図２は、自然状態におけるスリッパの側面図であり、図３は、自然状態におけるスリッパの後部を中心線に沿って縦断した部分縦断面図であり、図４は、左足に履く左のスリッパのうち底板部１０のみを後方（踵側）から見た背面図である。
【００２３】
底板部１０は、足を乗せることができるように略足型形状をなしており、型崩れを生じることなく平坦性を保つことができるように、所定の強度や剛性を有している。この底板部１０は、３種の材質よりなる３層構造をなし、ポリエステル等の合成樹脂よりなり、布状のメッシュ素材よりなる化粧布層１１と、可撓性及び衝撃吸収性（クッション性）のあるポリウレタン等の合成樹脂よりなる緩衝材層１２と、可撓性、強度、剛性及び耐摩耗性があり、床面との摩擦係数が大きいポリ塩化ビニル等の合成樹脂よりなる裏層１３とから構成されている。これら化粧布層１１、緩衝材層１２及び裏層１３は、接着剤により一体的に接合されている。
【００２４】
なお、底板部１０の踵部分においては、厚さを増すことにより衝撃吸収性（クッション性）を高めるために、緩衝材層１２が２層構造となっている。また、裏層１３の表面には滑り止め加工がなされている。
【００２５】
ここに、底板部１０の緩衝材層１２の厚さは、図４に示されるように、内側から外側（左足に履く左のスリッパを後方（踵側）から見た図４の背面図における右側から左側であり、右足に履く右のスリッパを後方（踵側）から見れば左側から右側。以下、同様）に向けて徐々に厚くなっている。すなわち、底板部１０の上面（足の裏が接触する面）１０ａは、内側から外側に向けて底板部１０の厚さが徐々に厚くなるような、傾斜面となっている。この傾斜面とされた底板部１０の上面１０ａは、スリッパを履いた人の姿勢を安定に保持して、その人が倒れることを抑える機能を果たす。
【００２６】
また、底板部１０の内側（左足に履く左のスリッパを後方（踵側）から見た図４の背面図における右側であり、右足に履くスリッパを後方（踵側）から見れば左側。以下、同様）における内側面１０ｃは、底板部１０の下面（裏面）１０ｂに対して略垂直に延びた垂直面となっているが、底板部１０の外側（左足に履く左のスリッパを後方（踵側）から見た図４の背面図における左側であり、右足に履く右のスリッパを後方（踵側）から見れば右側。以下、同様）における外側面１０ｄは、底板部１０の下面（裏面）１０ｂに対して内側に傾斜して延びた傾斜面となっている。すなわち、底板部１０の下面（裏面）１０ｂは底板部１０の上面１０ａよりも外側に延びており、底板部１０の下面（裏面）１０ｂにおける幅は、底板部１０の上面１０ａにおける幅よりも大きくなっている。これにより、底板部１０は、断面略三角形状の補強部（図４に斜線で示す部分）１０ｅを外側に有している。この底板部１０の補強部１０ｅは、スリッパを履いた人の体重により底板部１０の外側が圧縮されることを抑える機能、すなわち傾斜面とされた底板部１０の上面１０ａの傾斜角度を維持する形状維持機能を果たす。
【００２７】
甲保持部２０は、ポリエステル等の合成樹脂よりなり、足の甲にフィットしながら甲近傍を保持することができるような布状のメッシュ素材で形成されている。そして、この甲保持部２０は、第１布状帯片２１と、第２布状帯片２２とからなる。
【００２８】
第１布状帯片２１の基端は、底板部１０の化粧布層１１の左側縁部に一体的に縫い付けられるとともに、底板部１０の緩衝材層１２に接着されている。そして、この第１布状帯片２１の裏面の先端部分には、略矩形状の第１面ファスナー２３が縫い付けられている。同様に、第２布状帯片２２の基端は、底板部１０の化粧布層１１の右側縁部に一体的に縫い付けられるとともに、底板部１０の緩衝材層１２に接着されている。そして、この第２布状帯片２２の表面の先端部分には、第１面ファスナー２３と着脱自在な略矩形状の第２面ファスナー２４が縫い付けられている。
【００２９】
甲保持部２０は、第１布状帯片２１の第１面ファスナー２３と第２布状帯片２２の第２面ファスナー２４とが密着、係合した状態で、足の甲近傍を包み込む形状に保持され、スリッパの後方側に足入れ口２５が形成されるとともに、スリッパの前方側に足出し口２６が形成される。甲保持部２０を構成する第１布状帯片２１及び第２布状帯片２２は、足の甲にフィットする布状のもので、第１面ファスナー２３と第２面ファスナー２４とが密着、係合されることで、足の甲近傍を包み込む形状に安定に保持されるとともに、足入れ口２５及び足出し口２６が安定した開口状態に保持される程度に、型崩れの生じない材質及び構造とされている。
【００３０】
甲保持部２０は、足の甲周りのサイズに応じて、第１布状帯片２１の第１面ファスナー２３と第２布状帯片２２の第２面ファスナー２４との係合位置を変更することで、足入れ口２５及び足出し口２６等の大きさを調整することができ、足の甲近傍に容易かつ確実にジャストフィットさせてホールド性を高めることができるようになっている。
【００３１】
踵保持部３０は、外力が作用していない自然状態で、図１及び図２に示される使用形態に形状維持されるように一体に形成された板状弾性体３１と、この板状弾性体３１を被覆する、ポリエステル等の合成樹脂製の布状のメッシュ素材よりなる化粧布３２とから構成されている（図３参照）。
【００３２】
踵保持部３０を構成する板状弾性体３１は、軟質プラスチックとしての軟質ポリエチレンよりなり、底板部１０の両側縁から後ろ上方に延在する一対の側帯部３３、３４と、両側帯部３３及び３４を上方にて接続して連結する踵当て部３５とからなる。
【００３３】
側帯部３３は、底板部１０から略垂直に上方に延在する垂直部３３ａと、この垂直部３３ａの上端からなだらかに連続して一体に形成された、後方に向かって斜め上方に傾斜する傾斜部３３ｂとを有している。同様に、側帯部３４は、底板部１０から略垂直に上方に延在する垂直部３４ａと、この垂直部３４ａの上端からなだらかに連続して一体に形成された、後方に向かって斜め上方に傾斜する傾斜部３４ｂとを有している。なお、傾斜部３３ｂ及び３４ｂ同士が踵当て部３５により一体に連結されている。
【００３４】
踵当て部３５は、上下方向において凸状に湾曲する凸曲面３５ａを前面に有している。
【００３５】
また、踵保持部３０は、両側帯部３３、３４の外側部分に略円形状の一対の面ファスナー３６、３７を有している。面ファスナー３６、３７は、化粧布３２に縫い付けられている。
【００３６】
さらに、本実施形態においては、踵保持部３０を構成する板状弾性体３１が、両側帯部３３及び３４の基端から略直角に一体に折り曲げられた折り曲げ基部（図示せず）を有している。なお、板状弾性体３１は、この折り曲げ基部の部分においても、一体の化粧布３２により被覆されている。そして、本実施形態における踵保持部３０は、この折り曲げ基部の部分が底板部１０の化粧布層１１及び緩衝材層１２間に挟持されるとともに両者に接着されることにより、底板部１０に一体的に結合されている。
【００３７】
上記構成を有する本実施形態のスリッパを人が履く際には、図１及び図２に示される使用形態にあるスリッパの甲保持部２０と底板部１０との間に足の甲近傍を差し込み、踵を底板部１０に向けて落とす。すると、使用形態に形状維持された踵保持部３０における踵当て部３５の部分に、踵の後端付近が当接し、踵保持部３５が弾性変形する。このとき、左右の側帯部３３、３４は底板部１０から後ろ上方に延在しているから、踵の下降に伴って、側帯部３３、３４等が弾性変形しつつ踵当て部３５が後ろ下方に移動する。その結果、踵は、踵当て部３５に邪魔されることなく踵当て部３５をすり抜け、底板部１０に到着する。踵からの押圧力のなくなった踵保持部３０はその弾性復元力により元の姿勢に戻る。その結果、踵当て部３５の部分が足の踵近傍（踵からアキレス腱や足首にかけての部分）に当接し、踵保持部３０が踵近傍を保持する。このため、歩行中等にスリッパが脱げてしまう不都合を回避することができる。
【００３８】
また、本実施形態のスリッパでは、踵当て部３５の前面が凸曲面３５ａとされているので、このスリッパを人が履く際、踵が踵当て部３５の凸曲面３５ａの部分に当接する。このとき、踵から踵当て部３５への押圧力は、凸曲面３５ａを介して、踵当て部３５を後ろ下方に移動させる方向に働く。このため、踵当て部３５は、踵の下降に伴って、容易かつ速やかに後ろ下方に移動する。したがって、スリッパの履き易さが向上する。また、スリッパを履いた状態においては、踵当て部３５の凸曲面３５ａの部分が踵近傍に当接するので、角部や平坦面が踵近傍に当接することと比べて、履き心地や踵保持力が向上する。
【００３９】
さらに、本実施形態のスリッパでは、踵保持部３５が両側帯部３３、３４の外側部分に面ファスナー３６、３７を有している。このため、両足にこのスリッパを履いた人がスリッパを脱ぐ際、まず、右足に履いたスリッパの左の側帯部３３側に設けられた面ファスナー３６と、左足に履いたスリッパの右の側帯部３４に設けられた面ファスナー３７とを密着させて係合状態とする。その係合状態で、右足又は左足の踵をスリッパの踵保持部３０から抜くように上昇させれば、手を使うことなく容易に片方のスリッパを脱ぐことができる。なお、スリッパを履く際は、前記面ファスナー３６、３７同士の係合を解除して、左右のスリッパを確実に離した状態にしておく。
【００４０】
加えて、本実施形態のスリッパでは、踵保持部３０を構成する板状弾性体３１が軟質プラスチックとしての軟質ポリエチレンよりなるので、踵保持部３０の耐久強度を維持しつつ、踵保持部３０が繰り返し荷重を受けて頻繁に変形することによって形崩れすることを抑えることができる。このため、スリッパの耐久性が向上し、長期に渡って良好な踵保持機能を維持し続けるスリッパの提供が可能となる。
【００４１】
以上のとおり、本実施形態のスリッパによれば、手を使わずに容易に履いたり脱いだりすることができ、しかも履いている状態で踵を保持する機能を有するので歩行中等に脱げにくく、安全面でも有利となる。
【００４２】
よって、本実施形態のスリッパは、特に、病院内で入院患者が使用するのに適したものである、スリッパの着脱時における患者の負担を軽減し、かつ、スリッパを履いた患者の安全性を高めるものとなる。
【００４３】
（実施形態２）
図５及び図６に示される本実施形態のスリッパは、前記実施形態１において、踵保持部３５の両側帯部３３、３４の外側部分に設けられる面ファスナー３６、３７を省略したものである。すなわち、本実施形態のスリッパでは、踵保持部３５が両側帯部３３、３４の外側部分に面ファスナーが設けられていない。
【００４４】
このため、このスリッパを履く際、左右一対のスリッパは、前記面ファスナー３６、３７により係合していることがなく、確実に離れた状態となっている。なお、このスリッパを履いた人がスリッパを脱ぐ際は、例えば、踵保持部３０等を手指等で押さえながら、踵をスリッパの踵保持部３０から抜くように上昇させたり、あるいは手指等で甲保持部２０の第１面ファスナー２３及び第２面ファスナー２４の係合を解除したりすることで、スリッパを脱ぐことができる。
【００４５】
その他の構成及び作用効果は、前記実施形態１と同様である。
【００４６】
（その他の実施形態）
ここに、本発明のスリッパを構成する底板部１０及び甲保持部２０の形状、材質及び構造は特に限定されず、デザインや機能等の要請に応じて種々のものを採用することができる。
【００４７】
例えば、前述の実施形態では、第１布帯２１と第２布帯２２とを脱着自在に結合させる手段として、面ファスナーを採用したが、これの代わりにボタンやフック等を採用することも可能である。また、甲保持部２０を、足の甲（及び爪先）を包み込む湾曲形状に一体に形成された布帯や成形体により構成してもよい。
【００４８】
また、前述の実施形態では、対称形状をなす左右一対のスリッパについて説明したが、左右一対のスリッパが同一形状をなしていてもよい。
【図面の簡単な説明】
【００４９】
【図１】実施形態１のスリッパを示し、スリッパに外力が作用していない自然状態におけるスリッパの斜視図である。
【図２】実施形態１のスリッパを示し、スリッパに外力が作用していない自然状態におけるスリッパの側面図である。
【図３】実施形態１のスリッパを示し、スリッパに外力が作用していない自然状態におけるスリッパの後部を中心線に沿って縦断した部分縦断面図である。
【図４】実施形態１のスリッパを示し、スリッパに外力が作用していない自然状態におけるスリッパのうち底板部のみを後方から見た背面図である。
【図５】実施形態２のスリッパを示し、スリッパに外力が作用していない自然状態におけるスリッパの斜視図である。
【図６】実施形態２のスリッパを示し、スリッパに外力が作用していない自然状態におけるスリッパの側面図である。
【符号の説明】
【００５０】
１０…底板部                    ２０…甲保持部
３０…踵保持部                  ３１…板状弾性体
３３、３４…側帯部              ３５…踵当て部
３５ａ…凸曲面                  ３６、３７…面ファスナー
【図１】
0005307998.tif 000002
【図２】
0005307998.tif 000003
【図３】
0005307998.tif 000004
【図４】
0005307998.tif 000005
【図５】
0005307998.tif 000006
【図６】
0005307998.tif 000007